(57)【要約】【課題】本願発明は、バックライト方式を利用して低電力で動作可能であり、容積を最小限とした表示灯を提供する。【解決手段】この発明は、組立自在な４辺からなる枠体と、この枠体によってその周囲が保持固定される表示部とによって構成される表示灯において、前記表示部は、鏡面を有する反射ボードと、該反射ボードに鏡面側に積層される導光板と、さらの導光板の上面に積層され、その表面に表示内容を形成する薄膜が設けられた拡散板とによって構成され、前記枠体の第１の部分には、前記導光板の入射側面が配されると共に、該入射側面に沿って配置される複数の発光ダイオードと、該発光ダイオードが配設されるプリント基板とを収納し、前記枠体の第１の部分に対向した配置される第２の部分には、前記導光板の入射側面に対峙する側面に面する反射板が設けられることにある。【選択図】  図２
2008159290.tif 000002
【特許請求の範囲】
【請求項１】
組立自在な４辺からなる枠体と、この枠体によってその周囲が保持固定される表示部とによって構成される表示灯において、
前記表示部は、鏡面を有する反射ボードと、該反射ボードに鏡面側に積層される導光板と、さらの導光板の上面に積層され、その表面に表示内容を形成する薄膜が設けられた拡散板とによって構成され、
前記枠体の第１の部分には、前記導光板の入射側面が配されると共に、該入射側面に沿って配置される複数の発光ダイオードと、該発光ダイオードが配設されるプリント基板とを収納し、
前記枠体の第１の部分に対向した配置される第２の部分には、前記導光板の入射側面に対峙する側面に面する反射板が一体に設けられることを特徴とする表示灯。
【請求項２】
前記プリント基板と前記反射ボードとは一体に形成されること特徴とする請求項１記載の表示灯。
【請求項３】
前記発光ダイオードは、前記導光板の入射側面を保持固定することを特徴とする請求項１又は２記載の表示灯。
【発明の詳細な説明】
【技術分野】
【０００１】
この発明は、放送局や病院で使用される表示灯、非常口を示す表示灯に関する。
【背景技術】
【０００２】
従来の表示灯は、表示内容（例えば、ＯＮＡＩＲ、手術中等）が白抜き表記されたカラープレートと、このカラープレートが設けられたハウジングと、このハウジング内に設けられた蛍光灯とによって構成され、蛍光灯が発光することによって前記表示内容が有効であることを示すようになっているものであった。
【０００３】
しかしながら、従来の表示灯では、蛍光灯を使用しているために、大きな電力が必要であり、このため低電圧の制御信号によってスイッチの切り換えを行う必要があった。また、表示灯自体の容積が大きいという不具合があった。
【０００４】
特許文献１は、透光性の導光体中に、この導光体と異なる屈折率を有する拡散剤を含有させた導光板と、この導光板の周面から光を放出させるために導光板の少なくとも一端面に光学的に接続させた発光ダイオードと、導光板の背面に配された光拡散部及び／若しくは反射部とを備えた面状発光装置を開示し、この面状発光装置が液晶バックライト、パネルメーター、表示灯や面発光スイッチなどに用いられることを開示する。
【０００５】
また、特許文献２は、液晶表示パネルと、導光板、導光板の端面に配置した光源体とを備えたバックライトとから構成される液晶表示装置を開示する。この液晶表示装置において、前記光源体は、その主面が前記導光板の端面に対して直交方向に配置された絶縁基板と、この絶縁基板の一方主面に複数配列実装された発光ダイオードモジュールと、前記導光板の下面側に配置され、且つ前記絶縁基板を載置するヒートシンク基板とからなるものである。
【０００６】
特許文献３には、導光板及びその製造方法が開示される。この特許文献３に開示される導光板は、側方より入射した光を、導光板の正面から均一に放出できるように、導光板内部に透明層と光散乱層と形成したものである。また、同様な構成を有するものとして、特許文献４及び５に開示されるものがある。
【特許文献１】特開２００１−２５０４１０号公報
【特許文献２】特開２００６−９８５００号公報
【特許文献３】特開平９−３１１２２４号公報
【特許文献４】特開２０００−２９４０２０号公報
【特許文献５】特開２００１−２５０４１０号公報
【発明の開示】
【発明が解決しようとする課題】
【０００７】
このため、本願発明は、バックライト方式を利用して低電力で動作可能であり、容積を最小限とした表示灯を提供することにある。
【課題を解決するための手段】
【０００８】
したがって、この発明は、組立自在な４辺からなる枠体と、この枠体によってその周囲が保持固定される表示部とによって構成される表示灯において、前記表示部は、鏡面を有する反射ボードと、該反射ボードに鏡面側に積層される導光板と、さらの導光板の上面に積層され、その表面に表示内容を形成する薄膜が設けられた拡散板とによって構成され、前記枠体の第１の部分には、前記導光板の入射側面が配されると共に、該入射側面に沿って配置される複数の発光ダイオードと、該発光ダイオードが配設されるプリント基板とを収納し、前記枠体の第１の部分に対向した配置される第２の部分には、前記導光板の入射側面に対峙する側面に面する反射板が一体に設けられることにある。
【０００９】
また、前記プリント基板と前記反射ボードとは一体に形成されることが望ましい。
【００１０】
さらに、前記発光ダイオードは、前記導光板の入射側面を保持固定するように配されることが望ましい。
【発明の効果】
【００１１】
以上の構成により、表示灯の厚さを、反射ボード、導光板、拡散板を積層した厚さで形成できるため、省スペース化を達成できるものである。
【００１２】
また、発光源として発光ダイオードを用いることによって、従来は表示灯のオンオフを司るのみであった低電圧の制御信号によって表示部を発光させることができるため、省電力化を達成できるものである。
【発明を実施するための最良の形態】
【００１３】
以下、この発明の実施例について図面により説明する。
【実施例】
【００１４】
図１で示すように、本願発明に係る表示灯１は、４辺を構成する４つの部分からなる組立可能な枠体２と、この枠体２によって周縁が固定され、表示内容４が示される表示部３とによって構成される。
【００１５】
前記表示部３は、図２に示すように、鏡面９を有する反射ボード８と、この反射ボード８上に積層される導光板１０と、この導光板１０にさらに積層され、表面に表示内容４を示す薄膜１２が印刷又は蒸着された表面を有する拡散板５とによって構成され、またこの実施例においては、前記導光板１０の上部側面（入射側面）を保持する枠体部分２ａには、前記反射ボード８と一体に若しくは前記反射ボード８に固着される基板７に収納され、さらにこの基板７上には、図３に示すように、前記導光板１０の入射側面に沿って複数の発光ダイオード６が配置される。この発光ダイオード６は、前記導光板１０の上側面を保持固定する。
【００１６】
また、前記導光板１０は、例えば前述した特許文献に開示されるようなもので、入射側面から入射する光を図面の上方（放射側側面）に向けて順次反射又は拡散して放射側側面から光をできるだけ均一に放出する構造となっているものである。
【００１７】
さらに、前記導光板１０の放出側側面に積層される拡散板５が設けられる。この拡散板５は、上記導光板１０から放出される光をさらに均一に拡散させるためのものであり、この表面にはＯＮＡＩＲ、手術中、非常口等の表示内容４が、印刷、塗布、蒸着などの手法で形成される。
【００１８】
まあ、図２及び３に示すように、前記上部枠体部分２ａに対峙し、前記表示部３の下側を保持固定する下側枠体部分２ｂには、前記導光板１０の入射側面に対峙する側面に面して反射板１１が一体に設けられる。
【００１９】
また、本願発明の表示灯１によれば、発光ダイオード６を用いたことによって、図４に示すように、前記表示灯１の低電圧(例えば、２４Ｖ)制御信号ＣＳによって直接発光させることが可能となる。また、これによって省電力化が達成される。
【００２０】
以上の構成により、制御信号ＣＳが印加された場合、発光ダイオードが発光し、光は導光板１０に沿って移動すると共に導光板１０の内部で、導光板１０に設けられた拡散手段、前記反射ボード８の鏡面９及び反射板１１とによって、反射、拡散、屈折を繰り返して放出面から拡散板５へある程度均一に移動し、さらに拡散板５の拡散手段によって均等に放出されるものである。このとき、表示部分４の状態によって、文字部分を発光させたり、文字部分の回りの部分を発光させたりして表示内容４がＯＮ状態となったことを示すものである。
【００２１】
また、この実施例では、外部電源によって表示灯１を点灯するようにしたが、内部に電源を設けてその電力によって点灯する用にしても良いものである。
【図面の簡単な説明】
【００２２】
【図１】本願発明の表示灯を示した外観斜視図である。
【図２】本願発明の表示灯の概略構成を示した断面図である。
【図３】本願発明の表示灯の表示部の構成図である。
【図４】本願発明の表示灯の電気回路図である。
【符号の説明】
【００２３】
１  表示灯
２  枠体
３  表示部
４  表示内容
５  拡散板
６  発光ダイオード
７  基板
８  反射ボード
９  鏡面
１０  導光板
１１  反射板
【図１】
2008159290.tif 000003
【図２】
2008159290.tif 000004
【図３】
2008159290.tif 000005
【図４】
2008159290.tif 000006